(57)【特許請求の範囲】
【請求項１】
光源の周囲を旋回可能に設けられた回転反射板と、
前記回転反射板を回転させるための駆動部を収納する本体部と、
前記光源と回転反射板を内部に位置させて前記本体部に取り付けられ、前記光源が発する照射光を外部に照射可能な透光性を有する防風部とを少なくとも備え、
遊技機の正面に取り付けられる回転灯装置において、
遊技機の基体に固定される移動装置と、
この移動装置の作動に伴い上下左右方向に位置変位可能な支持部材とを設け、
前記支持部材は、前記回転反射板の回転軸が常に垂直状態を保持可能に、前記本体部もしくは前記防風部を支持固定するための、軸心が遊技機の前後方向となる軸支部を備え、
前記支持部材が、前記移動装置の作動に伴い連続的に位置変位することにより、前記本体部及び防風部が一体で、垂直面に添って一定の軌跡を描くように移動可能に形成されていることを特徴とする回転灯装置。
【請求項２】
前記移動装置として、駆動軸が遊技機の前後方向となるよう配置される駆動モータを設け、
前記支持部材として、前記駆動モータの駆動軸に軸止された回転体を設け、
前記軸支部を、前記駆動軸の回転中心と軸心が一致しない位置に前記駆動軸と平行に設け、
前記駆動モータの駆動に伴う前記回転体の回転によって、前記軸支部が前記回転体の回転中心を正面視左右方向回りに周回し、前記本体部及び防風部が円の軌跡に添って移動するよう形成されていることを特徴とする請求項１記載の回転灯装置。
【請求項３】
前記本体部の上面に、複数の可動板から成り上下方向に伸縮自在な吊り下げ部材を設け、前記吊り下げ部材を介して遊技機の基体に吊り下げ支持されていることを特徴とする請求項２記載の回転灯装置。
【発明の詳細な説明】
【技術分野】
【０００１】
この発明は、遊技機の正面に装着される演出表示用の回転灯装置に関するものである。
【背景技術】
【０００２】
従来より、スロットマシンなどの遊技機においては、前扉の上部にアーチランプや液晶などが取り付けられており、これらを用いて種々の演出が行われるように形成されている。そして、特許文献１に示すように、遊技機の演出用デバイスとして回転灯装置を用いたものが知られている。
【特許文献１】特開２００４−７３３２５号公報
【発明の開示】
【発明が解決しようとする課題】
【０００３】
しかし、従来は、回転灯装置のランプを光らせたり回転反射板を回したりという、単純な演出しか行われていなかった。
そこで、本願発明は、演出表示のバリエーションに富んだ遊技機に用いられる回転灯装置を提供することを目的とする。
【課題を解決するための手段】
【０００４】
各請求項に記載された発明は、上記した各目的を達成するためになされたものであり、本発明の特徴点を図面に示した発明の実施の形態を用いて、以下に説明する。
なお、括弧内の符号は、発明の実施の形態において用いた符号を示し、本発明の技術的範囲を限定するものではない。
（請求項１）
（特徴点）
請求項１記載の発明は、次の点を特徴とする。
すなわち、請求項１記載の発明は、光源（電球65）の周囲を旋回可能に設けられた回転反射板(64)と、前記回転反射板(64)を回転させるための駆動部（反射板回転モータ68）を収納する本体部（本体ケース61）と、前記光源(65)と回転反射板(64)を内部に位置させて前記本体部(61)に取り付けられ、前記光源(65)が発する照射光を外部に照射可能な透光性を有する防風部（レンズ63）とを少なくとも備え、遊技機の正面に設置される回転灯装置（回転灯ユニット60）に係る。
【０００５】
本発明に係る回転灯装置(60)は、遊技場に設置される遊技機、例えばスロットマシンやそれに類する遊技機に使用されるものである。
ここで、前記遊技機は、筐体(1)や前扉(3)、筐体(1)の内部に収納される遊技装置としてのリールユニット(20)や制御装置などを備えており、本発明に係る回転灯装置(60)は、遊技機の正面のいずれかの場所、例えば前扉(3)に取り付けられるものである。
前記防風部(63)は、椀型の着色カバーとすることができ、例えば本体部(61)に形成されたネジ部に螺合させて取り付け取り外しができるようになっているものとすることができる。前記「駆動部」は、回転反射板(64)を回転させるための駆動モータや、モータの回転を回転反射板(64)に伝達するための伝達手段（ギアなど）を含むものである。また前記「光源」は、照射光を発する発光体であれば、電球(65)には限られない。
【０００６】
さらに、本発明に係る回転灯装置(60)は、遊技機の基体に固定される移動装置と、この移動装置の作動に伴い上下左右方向に位置変位可能な支持部材とを設けてあり、前記支持部材は、前記回転反射板(64)の回転軸が常に垂直状態を保持可能に、前記本体部(61)もしくは前記防風部(63)を支持固定するための、軸心が遊技機の前後方向となる軸支部（支持軸73）を備え、前記支持部材が、前記移動装置の作動に伴い連続的に位置変位することにより、前記本体部(71)及び防風部(63)が一体で、垂直面に添って一定の軌跡を描くように移動可能に形成されていることを特徴とする。
ここで、前記「移動装置」は、駆動モータ（回転板回転モータ71）やソレノイド(74)とすることができ、「移動装置の作動」とは、駆動モータの駆動やソレノイドの通電を含む。前記「支持部材」は、回転灯装置(60)を支持可能な部材であって、駆動モータの駆動軸に軸止された回転板(72)やソレノイドの作動によって回転、回動、揺動する可動部材（回転アーム76）、あるいは伸縮自在なリンク機構とすることができる。また、前記「軸支部」は、遊技機の前後方向となるよう支持部材に設けられた軸、又は遊技機の前後方向となるよう回転灯装置(60)に設けられた軸を支持するための支持部材に設けられた軸受け部とすることができる。なお、遊技機の「基体」とは、遊技機において回転灯装置(60)を固定可能な部分であり、遊技機を構成する部材の一部や構成部材に取り付けられた部材を含む。
【０００７】
またここで、「垂直状態を保持可能に・・・支持固定」とは、例えば軸受け部の内部で軸が回転可能になっているものとすることができる。
前記「一定の軌跡」とは、円や多角形などの軌跡の他、円弧やジグザグ形状の軌跡も含む。水平方向のみの往復移動、上下方向のみの往復移動を含んでもよい。
（作用）
本発明では、移動装置(71)の作動により、支持部材(72)が移動（回転又は変形を含む）し、これに応じて、軸支部(73)の位置が、遊技機を正面視したとき時計回り又はその逆回りに、円の軌跡を描いて移動する。すると、軸支部(73)に支持固定されている回転灯装置(60)は、軸支部(73)の位置変位にあわせて、装置全体が垂直状態を保ったまま、一定の軌跡を描いて移動する。このため、回転灯装置(60)の光源(65)も同様の軌跡を描いて移動し、この位置変位が連続して行われると、光源(65)の残像により視覚効果を高めることができる。
【０００８】
本発明を遊技機の報知演出に用いた場合には、今までの光源(65)の点灯消灯や回転反射板(62)の回転停止による特定状態の報知に加え、回転灯装置(60)全体の円運動の態様（回転方向、回転速度）によって状態報知を行うことができるので、演出態様を豊富にすることができる。
（請求項２）
（特徴点）
請求項２記載の発明は、上記した請求項１記載の発明の特徴点に加え、次の点を特徴とする。
【０００９】
すなわち、請求項２記載の発明は、前記移動装置として、駆動軸(71A)が遊技機の前後方向となるよう配置される駆動モータ（回転板回転モータ71）を設け、前記支持部材として、前記駆動モータ(71)の駆動軸(71A)に軸止された回転体（回転板72）を設け、前記軸支部(73)を、前記駆動軸(71A)の回転中心と軸心が一致しない位置に前記駆動軸(71A)と平行に設け、前記駆動モータ(71)の駆動に伴う前記回転体(72)の回転によって、前記軸支部(73)が前記回転体(72)の回転中心を正面視左右方向回りに周回し、前記本体部(61)及び防風部(63)が円の軌跡に添って移動するよう形成されていることを特徴とする。
本発明は、移動装置及び支持部材を具体的に特定したものである。
【００１０】
本発明においては、支持部材は例えば円板状の回転板であって、前記軸支部(73)は回転体(72)の回転中心に対して偏心して設けられている。
本発明によれば、駆動モータの駆動軸(71A)の回転をダイレクトに回転灯装置(60)に伝達可能であるので、簡素な構成で確実に回転灯装置(60)を円運動させることができる。
（請求項３）
（特徴点）
請求項３記載の発明は、上記した請求項２記載の発明の特徴点に加え、次の点を特徴とする。
【００１１】
すなわち、請求項３記載の発明は、前記本体部(61)の上面に、複数の可動板から成り上下方向に伸縮自在な吊り下げ部材(80)を設け、前記回転灯装置(60)は、前記吊り下げ部材(80)を介して遊技機の基体に吊り下げ支持されていることを特徴とする。
前記吊り下げ部材(80)は、２以上の可動板を軸止して形成したリンク機構とすることができ、回転灯装置(60)の位置移動を妨げずに、回転灯装置(60)を上方から吊り下げ可能なものである。
本発明によれば、駆動軸(71A)の回転時に回転灯装置(60)を垂直状態（回転反射板64の回転軸が垂直となる状態）に保つことができるとともに、回転灯装置(60)を支持する支持軸(73)に掛かる剪断力を軽減することができる。
【発明の効果】
【００１２】
本発明は、以上のように構成されているので、演出表示のバリエーションに富んだ遊技機の回転灯装置を提供することができる。
【発明を実施するための最良の形態】
【００１３】
本発明を実施するための最良の形態を、遊技機としてスロットマシンを例に、図面に基づき説明する。
（図面の説明）
図１乃至図７は、本発明の実施の形態を示すものである。
図１はスロットマシンの正面図、図２及び図３は上部装飾体を示す図、図４は回転灯ユニットの分解斜視図、図５及び図６は回転灯ユニット60の作動を表す図、図７は本実施の形態の変形例を示す図である。
本実施の形態におけるスロットマシンＳは、図１に示すように、筐体１と、筐体１の正面開口を開閉可能に塞ぐ前扉３とから構成されている。
【００１４】
前記筐体１の内部には、表面に複数の図柄が表示された回転リール20を備えるリールユニット２と、ホッパーユニット５と、特に図示しない電源ユニットが設置されている。リールユニット２は、スロットマシンＳの主たる遊技装置であって、特に図示しない支持枠に駆動モータを固定し、駆動モータの駆動軸に回転リール20を軸着したものである。またリールユニット２の支持枠には、これも特に図示しないが、スロットマシンＳの作動を制御するための制御装置が設けられている。ホッパーユニット５はメダルを貯留するとともに入賞時等にはメダルを払い出す払い出し装置である。
前扉３は、筐体１のヒンジに回転自在に軸支された板状の扉であり、図１に示すように、略中央部は操作部3Aとなっている。そしてこの操作部3Aの上方には、正面パネル30が設けられている。この正面パネル30には、回転リール20の図柄を視認可能な図柄表示窓31が形成されている。また、前扉３の下部は、ホッパーユニット５から払い出されるメダルを貯留するための下皿3Cが設けられており、前記操作部3Aと下皿3Cとの間には、下パネル3Bが設けられている。そして、正面パネル30の上側には、上部装飾体６が設けられている。
【００１５】
前記操作部3Aは、正面パネル30よりも手前側に張り出して形成されたカウンター状の段部であって、操作部3Aの上面右端にはメダル投入口34が設けられ、上面左側にはベットスイッチ35、正面側にはスタートスイッチ36及びストップスイッチ37が設けられている。また、前記メダル投入口34の下方であって前扉３の裏側には、投入されたメダルを誘導しながらメダルの正偽を判断するためのメダルセレクター４が設けられている。ここで、ベットスイッチ35は、クレジットとして貯留扱いになっているメダルをメダル投入に代えるためのものであり、スタートスイッチ36及びストップスイッチ37は、回転リール20の回転を開始及び停止させるためのものである。
【００１６】
なおスロットマシンＳは、制御装置により行われる当選判定の抽選結果が所定の当選役に当選し、前記ストップスイッチ37の操作により当選図柄が入賞の態様となるように回転リール20を停止させることができると入賞となり、ホッパーユニット５からメダルが払い出されたり、ボーナスゲームなどの有利な遊技が開始されるようになっている。
（上部装飾体６）
次に、上部装飾体６の詳細な構成を、図２乃至図４に基づき説明する。
上部装飾体６は、前扉３の正面上部に着脱自在に固定される演出用ブロックであって、図１及び図３に示すように、空間部51を有する中空箱形の本体枠50に種々の演出用デバイスを取り付けた構造になっている。具体的には、図２及び図３に示すように、本体枠50の正面上側中央部及び正面上側角隅部にはランプ32が、正面下側の左右にはスピーカボックス40がそれぞれ設けられている。また、本体枠50の内部には、回転灯ユニット60が設けられ、回転灯ユニット60の背面側には、背面板ユニット90が設けられている。
【００１７】
そして、本体枠50の正面は、透明なプラスチックにより成型した正面視略Ｙ字型の正面カバー54により覆われており、図２に示すように、この正面カバー54を通して、正面方向から前記回転灯ユニット60及び背面板ユニット90の正面側を見ることができるようになっている。
本体枠50の空間部51の下側中央部、すなわち二つのスピーカボックス40の間には、下方に窪んだ凹部52が形成されている。そして、凹部52の両側、すなわち二つのスピーカボックス40の上側は、一段高くなった段部であるステージ部53となっている。なお、図示した例ではステージ部53の上には何も設置されていないが、ステージ部53にフィギアを設置したりジオラマを形成したりしてもよい。さらに、本体枠50の内部には、図３に示すように、回転灯ユニット60を吊り下げ支持するための上部支持板55と、回転灯ユニット60を位置移動させるためのユニット移動装置70を支持固定する背面固定板56が設けられている。
【００１８】
前記スピーカボックス40は、図２に示すように、正面に多数の音通小孔を有する中空の箱体であって、前扉３の上方左右に配置されたスピーカ装置33から出力される音声を、正面側に放出させるためのものである。
前記背面板ユニット90は、本体枠50の背面開口を背面側から塞ぐ板状の演出表示ユニットであり、絵柄を表示した表示フィルムの裏面側に、蛍光ランプ灯や導光板を配置して、表示フィルムを裏側から照射するように形成したものとすることができる。あるいは、液晶表示装置を用いて、動画を表示させるようにしてもよい。なお、本実施の形態では、空間部51の背面側中央に背面固定板56が設けられ、ここにはユニット移動装置70が固定されることから、背面板ユニット90には、ユニット移動装置70の回転板回転モータ71を挿通可能な開口部が形成されている。
【００１９】
（回転灯ユニット60）
回転灯ユニット60は、図３に示すように、本体枠50の空間部51の中央に設置される演出表示装置であって、図４に示すように、本体ケース61と、レンズ63を有している。ここで、本体ケース61は、反射板回転モータ68その他の駆動部品を収納するためのケースである。レンズ63は、本体ケース61に取り付けられる断面略Ｕ字型の着色カバーであり、内蔵される電球65の光を透過させるものである。レンズ63の開口端部には、本体ケース61に取り付け固定するためのネジ部63Aが形成されており、本体ケース61に取り付けた状態でレンズ63の内部に配置された回転反射板64を回転させることにより、電球65の光が投射される方向を回転変位させることができるようになっている。
【００２０】
前記本体ケース61は、図４に示すように、底部が開口する筒体であって、この開口部にはレンズ63を取り付けるためのネジ部61Aが形成されている。また、本体ケース61の背面側（空間部51の中央に設置した状態で背面側となる側）には、図３に示すように、ユニット移動装置70の支持軸73を回転可能に支持可能な軸受け部62が設けられている。
また、本体ケース61の内部には、特に図示しないが、開口部を塞ぐベースプレートが嵌め込まれているとともに、ベースプレートの内側（本体ケース61の筒内側）には、モータ軸の先端にモータギア68Aを有する反射板回転モータ68が内蔵されている。前記モータギア68Aは、前記ベースプレートから外側（反モータ側）に突出しており、ベースプレートの外面には、前記モータギア68Aと噛合可能な連結ギア68Bと、支持部材69が取り付けられている。また、前記支持部材69には、電球65を取り付けるためのソケット67が固定されているとともに、反射板固定部66が水平方向に回転可能に取り付けられている。
【００２１】
ここで、反射板固定部66は、回転反射板64に前記反射板回転モータ68の回転を伝達して回転させるためのリング状の部材であり、リングの一方側の外壁には反射板ギア66Aが形成されているとともに、リングの他方側には回転反射板64を固定可能に形成されている。そして、反射板ギア66Aと前記連結ギア68Bが噛合することにより、反射板回転モータ68のモータ軸の回転が伝達され、反射板回転モータ68の駆動に伴い回転反射板64が反射板固定部66と一体で回転するようになっている。
前記回転反射板64は、図４に示すように、回転中心側に向く凹面を有する反射鏡であって、薄型円筒状の台座部64Aを有している。そしてこの台座部64Aを反射板固定部66に固定したときに、台座部64Aの中央に形成された丸孔から、ソケット69に取り付けた電球65が突出するようになっている。そして、この電球65の外周側に回転反射板64が位置し、台座部64Aが反射板固定部66と一体で回転することにより、回転反射板64が電球65を中心にして周囲を旋回するようになっている。
【００２２】
さらに、前記本体ケース61の上面と上部支持板55の間には、回転灯ユニット60を吊り下げ支持するための吊り下げ部材80が設けられている。吊り下げ部材80は、図３及び図４に示すように、上部支持板55に固定される上固定板81と、本体ケース61に固定される下固定板82と、前記上固定板81及び下固定板82の間に設けられた２枚の可動板83とからなるリンク機構である。
そして、回転灯ユニット60は、図３に示すように、軸受け部62に支持軸73を嵌入させた状態で、背面固定板56の正面側及び上部支持板55の下側に吊り下げ支持される。
ここで、吊り下げ部材80は、回転灯ユニット60が停止しているときには、回転灯ユニット60の重量を支持可能であるが、ユニット移動装置70の回転板回転モータ71の駆動に伴い回転灯ユニット60が位置移動する際には、可動板83が伸縮するようになっている。回転灯ユニット60を支持軸73と軸受け部62との係合のみで支持することも可能であるが、この吊り下げ部材80を介在させることにより、回転灯ユニット60の位置移動時に回転灯ユニット60を垂直状態（回転反射板64の回転軸が垂直方向となる状態）に保持可能であるとともに、支持軸73に掛かる剪断力を軽減させることができる。
【００２３】
（ユニット移動装置70）
ユニット移動装置70は、図３に示すように、背面固定板56に取り付けられる回転板回転モータ71と、回転板回転モータ71の駆動軸71Aに固定される回転板72と、回転板72の正面側に、回転板72の中心すなわち前記駆動軸71Aの位置に対して偏心して設けられる支持軸73とを備えている。
前記回転板回転モータ71は、駆動軸71Aを手前側に突出させて背面固定板56に固定されている。回転板回転モータ71は逆転駆動可能であってもよく、回転速度を変更可能であってもよい。前記回転板72は、駆動軸71Aに固定された円板であって、請求項記載の支持部材にあたるものである。そしてこの回転板72は、駆動軸71Aの回転とともに円板面が正面視左右回り方向に回転するものである。
【００２４】
前記支持軸73は、回転板72の正面側に突設された軸であり、請求項記載の軸支部にあたるものである。この支持軸73は、回転板72の円周近くに位置しており、その先端部を、回転灯ユニット60の軸受け部62の軸孔に嵌入することにより、回転灯ユニット60を片持ち支持することができるようになっている。また、支持軸73は、軸受け部62の軸孔内で回転可能であり、回転板72が回転しても回転灯ユニット60の垂直軸（長さ方向の中心軸）がぶれないようになっている。
支持軸73に回転灯ユニット60を支持させると、回転灯ユニット60の垂直軸と、支持軸73とが直交した状態となる。そして、回転板72が回転板回転モータ71の駆動に伴い回転することにより、支持軸73が駆動軸71Aの周囲を回転し、回転灯ユニット60は垂直状態を保ったままで、その全体が、駆動軸71Aを中心とし、駆動軸71Aから支持軸73までの距離を半径とした円の軌跡に添って移動するものである（図２の二点鎖線参照）。
【００２５】
なお、本実施の形態では、支持軸73をユニット移動装置70に設けてあるが、回転軸を回転灯ユニット60の本体ケース61に設け、ユニット移動装置70のケース71に軸受け部を設けるようにしてもよい。あるいは、レンズ63に軸受け部62又は回転軸を設けてもよい。要は、回転灯ユニット60が回転板回転モータ71の駆動によって、垂直状態を保持したまま円の軌跡に添って移動可能となっていればよい。
また、回転板72は円板でなく角板でもよい。あるいは駆動軸71Aと支持軸73を繋ぐアーム状の部材であってもよい。要は、回転板回転モータ71の駆動によって支持軸73が駆動軸71Aの周囲を回転するように形成されていればよい。
【００２６】
（回転灯ユニット60の位置移動）
上記構成を有する回転灯ユニット60の、ユニット移動装置70の回転板回転モータ71の駆動に基づく位置移動について、図５に基づき説明する。なお、図５は回転灯ユニット60を背面視した図である。また、図中「Ｌ」は回転灯ユニット60の垂直軸、「ｒ」は駆動軸71Aと支持軸73の距離を表す。
まず、図５（Ａ）に示す初期状態においては、駆動軸71A及び支持軸73が、回転灯ユニット60の垂直軸Ｌ上に位置している。このとき、吊り下げ部材80は、可動板83が折り畳まれた状態であり、上部支持板55の下面と本体ケース61の上面とは最も接近した位置にある。
【００２７】
そして、回転板回転モータ71を所定時間駆動させると、回転板72が図面上左回り（つまり正面視右回り）し、図５（Ｂ）に実線で示すように、支持軸73は駆動軸71Aと水平となる位置まで移動する。これに伴い、回転灯ユニット60は、初期位置から図面上左側（正面視右側）及び下側にそれぞれ「ｒ」だけ移動した位置となる。このとき、吊り下げ部材80は、可動板83が上記（Ａ）よりも伸びた状態である。
さらに、回転板回転モータ71を所定時間駆動させると、回転板72の回転により、図５（Ｃ）に示すように、支持軸73は駆動軸71Aの下方で垂直軸Ｌ上となる位置まで移動する。これに伴い、回転灯ユニット60は、下側に「２ｒ」だけ移動した位置となる。このとき、吊り下げ部材80は、２枚の可動板83が縦に一直線となった状態であり、上部支持板55の下面と本体ケース61の上面とは最も隔離した位置となる。
【００２８】
そしてさらに、回転板回転モータ71を所定時間駆動させると、図５（Ｂ）に二点鎖線で示すように、支持軸73は駆動軸71Aと水平となる位置まで移動し、回転灯ユニット60は、図面上右側（正面視左側）及び下側にそれぞれ「ｒ」だけ移動した位置となり、その後、図５（Ａ）に示す初期状態に戻るものである。
そして、回転板回転モータ71を連続して駆動させることにより、上記作動が連続的に行われ、図６（Ａ）に示すように、回転灯ユニット60の電球65が、正面視したとき半径ｒの円の軌跡に添って移動し、レンズ63が揺れているように見えるものである。
なお、回転板回転モータ71の設置位置や回転板72の直径や支持軸73の初期位置を変えることにより、回転灯ユニット60の移動の幅や移動態様が変わることは言うまでもない（図６(Ｂ)参照）。
【００２９】
回転灯ユニット60の移動を用いた演出の具体例としては、通常時は電球65を消灯し回転反射板64も停止させておくとともに、初期位置に停止させておき、遊技中の所定時に、電球65を点灯させて回転反射板64を回転させることにより、あるいは電球65は消灯したまま回転反射板64のみを回転させることにより、当選や入賞を報知することができる。
また、特定の遊技状態（当選判定の抽選による当選役の当選、演出実行抽選の当選を含む）では、電球65を消灯し回転反射板64を停止させた状態で回転灯ユニット60全体を移動させ、他の特定の遊技状態では、電球65を点灯させ回転反射板64も回転させた状態で回転灯ユニット60全体を移動させることができる。例えば、左回りでＢＢ内部中、右回りでＲＢ内部中を報知するようにして、点灯状態の方がいわゆる信頼度が高い（当たっている可能性が大きい）ようにすることができる。
【００３０】
移動態様としては、同方向に回すだけでなく、途中で移動方向を変えたり、途中で移動停止したり、移動速度を変化させたりすることにより、遊技者の期待感を高めることができる。例えば、回転灯ユニット60全体が一定時間以上移動し続ければ当選確定、移動速度が遅い場合には確率５０％、途中で停止したり元の位置に戻ったりした場合にはハズレ、のように設定することができる。
また、回転灯ユニット60の移動態様によって、複数のストップスイッチ50の押し順報知を行うこともできる。ここで、ストップスイッチ50の押し順報知とは、左、中、右の３個のストップスイッチ50の操作順が所定の順序である場合には回転リール40を入賞の態様で停止させることができ、所定の順序と異なる場合には入賞の態様に停止させられないように設定されている場合の、所定の順序（推奨停止操作順番）を報知することである。そして、具体的には、例えば順押し（左、中、右の順序）を報知するときには回転灯ユニット60が右移動し、逆押し（右、中、左）を報知するときには左移動し、挟み押し（左、右、中）を報知するときには左に移動した後右に移動する、というように、回転灯ユニット60の移動方向によって報知を行うことができる。
【００３１】
また、ストップスイッチ50の操作毎に回転灯ユニット60の位置を変えて、正しい押し順か否かを報知することもできる。例えば、推奨停止操作順番が上記した順押しであったとき、初期位置（最も上の位置）から左に移動し、第一停止で左ボタン操作を検知したらその位置から下に移動する。次に第二停止で中ボタン操作を検知したらその位置から右に移動し、第三停止を検知したら初期位置に戻るようにする。そして、途中で押し順を間違えた場合には、間違えた時点で初期位置に戻るようにすることができる。
このように、本実施の形態によれば、単に回転灯ユニット60を点灯させるだけの場合に比べて、回転灯ユニット60自体の位置変化によって、バリエーション豊かな演出表現を行うことができる。特に、電球65が円を描くように移動するので、電球の点灯中においてはその残像によって、今までにない視覚的効果を得ることができる。
【００３２】
（ユニット移動装置70の変形例）
上記した実施の形態においては、ユニット移動装置70は、駆動装置（回転板回転モータ71）の駆動軸と偏心させた支持軸73に回転灯ユニット60を支持させることにより、回転灯ユニット60が円の軌跡を描くように形成してあったが、本発明に係るユニット移動装置70は、上記以外の機構により回転灯ユニット60が円の軌跡を描くようにしたものも含まれる。
例えば、図７に示すように、ユニット移動装置70として、上部支持板55に支点74Aを介して揺動自在に軸支されたソレノイド74を設けるとともに、上部支持板55から垂下する支持片の回転軸77にその一端が回転自在に支持された回転アーム76を設ける。また、回転アーム76の他の一端には支持軸73が設けられ、この支持軸73には前記ソレノイド74の出没突起75の先端が回転自在に固定されている。そして、ソレノイド74の通電に伴う出没突起75の伸縮により、回転アーム76が回転軸77を中心に回転するようになっている。一方、回転灯ユニット60の本体ケース61の上面には、軸受け部62を設け、前記支持軸73に取り付けることにより、回転灯ユニット60が円の軌跡を描いて移動するものである（図７(Ａ)〜(Ｃ)参照）。
【００３３】
なお、ユニット移動装置70としては、特に図示しないが、例えば回転灯ユニット60の背面にガイドローラやガイド突起などのガイド部材を設け、回転灯ユニット60の背面側に環状のガイドレールを設置し、ガイドレールとガイド部材とを係合させた状態で、回転灯ユニット60を上側又は側方からモータやソレノイドで引っ張ることにより、回転灯ユニット60がガイドレールの軌跡に添って移動するように形成したものであってもよい。このほか、どのような機構を用いても構わない。
（本発明の他の実施の形態）
ところで、本発明は、駆動モータやソレノイドなどの「移動装置」の作動によって、「支持部材」の「軸支部」に支持された回転灯ユニット60が、正面視したとき一定の軌跡に添って移動可能となっていればよい。すなわち、回転灯ユニット60の移動軌跡は円の軌跡に限られない。例えば図８（Ａ）に示すような方形状の移動軌跡や、図８（Ｂ）に示すような円弧の移動軌跡であってもよいものである。
【００３４】
具体的には、特に図示しないが、前述したガイドレールとガイド部材を用いて、ガイドレールの形状を三角形や菱形や星形などにすることにより、様々な移動軌跡を作り出すことができる。リンク機構や変形カムを用いて、複雑な移動軌跡を形成してもよい。さらに、移動装置としての駆動モータやソレノイドを複数設け、回転灯ユニット60を上下方向、左右方向にそれぞれ別々に移動可能に支持して、回転灯ユニット60が上下左右に振動するように移動させてもよい。この場合の移動態様としては、上下動のみ、横移動のみ、上下左右入り乱れた移動とすることができ、遊技状態に応じて各移動態様を使い分けることができる。
【００３５】
以上のように形成した場合であっても、電球65の位置がぶれることにより残像による視覚的効果を得ることができる。
なお、本発明はスロットマシン以外の遊技機、例えばパチンコ遊技機にも応用できるものである。本発明に係る回転灯ユニット60は、筐体に取り付けてもよい。また、本発明に係る回転灯ユニット60を用いた演出表示の態様も上述したものに限られず、種々の演出用ユニットや役物を組み合わせて、様々な態様で実施可能であることはいうまでもない。
【図面の簡単な説明】
【００３６】
【図１】本発明の実施の形態であって、スロットマシンの外観斜視図である。
【図２】本発明の実施の形態であって、上部装飾体の正面図である。
【図３】本発明の実施の形態であって、図２のIII−III断面図である。
【図４】本発明の実施の形態であって、回転灯ユニットの分解斜視図である。
【図５】本発明の実施の形態であって、回転灯ユニットの移動を示す図である。
【図６】本発明の実施の形態であって、回転灯ユニットの移動を示す図である。
【図７】本発明の実施の形態の変形例であって、回転灯ユニットの移動を示す図である。
【図８】本発明の他の実施の形態であって、回転灯ユニットの移動を示す図である。
【符号の説明】
【００３７】
Ｓ  スロットマシン（遊技機）
１  筐体                            ２  リールユニット
３  前扉                            3A  操作部
3B  下パネル                        3C  下皿
４  メダルセレクター                ５  ホッパーユニット
６  上部装飾体                      20  回転リール
30  上パネル                        31  図柄表示窓
32  ランプ                          33  スピーカ装置
34  メダル投入口                    35  ベットスイッチ
36  スタートスイッチ                37  ストップスイッチ
40  スピーカボックス
50  本体枠（基体）                  51  空間部
52  凹部                            53  ステージ部
54  正面カバー                      55  上部支持板
56  回転灯固定板
60  回転灯ユニット（回転灯装置）    61  本体ケース
62  軸受け部                        63  レンズ（防風部）
64  回転反射板                      65  電球（光源）
66  反射板固定部                    67  ソケット
68  反射板回転モータ（駆動部）      69  支持部材
70  ユニット移動装置（回転灯装置）  71  回転板回転モータ（移動装置）
72  回転板（支持部材）              73  支持軸（軸支部）
74  ソレノイド（移動装置）          75  出没突起
76  回転アーム（支持部材）          77  回転軸
78  支持片
80  吊り下げ部材                    81  上固定板
82  下固定板                        83  可動板
90  背面板ユニット
【図１】
0005363751.tif 000002
【図２】
0005363751.tif 000003
【図３】
0005363751.tif 000004
【図４】
0005363751.tif 000005
【図５】
0005363751.tif 000006
【図６】
0005363751.tif 000007
【図７】
0005363751.tif 000008
【図８】
0005363751.tif 000009